【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
周面に各々が識別可能な複数種類の識別情報が表示されたリールと、前記リールを回転駆動するリールモータと、前記リール及び前記リールモータを保持する保持部材と、からなるリールユニットを備える遊技機であって、
前記リールモータに接続されたモータ側コネクタが接続される基板側コネクタが一面に設けられた基板と、
前記基板の前記一面を被覆するとともに前記基板側コネクタに対応する位置に該基板側コネクタを臨ませるコネクタ孔が形成された被覆部を有する基板カバーと、
前記一面を前記被覆部に対向させるとともに前記コネクタ孔に前記基板側コネクタを臨ませた状態で前記基板と前記基板カバーとを一体的に組み付けてなる基板ユニットを、前記基板における前記一面の反対面を前記保持部材の上方面に対向させた状態で前記保持部材の上方面に取り付ける基板ユニット取付手段と、
を備え、
前記遊技機は、
前面が開口する箱状に形成され、前記リールユニットが設置される遊技機本体と、
前記遊技機本体の前面開口を開閉可能に設けられた前面扉と、
から構成され、
前記基板ユニット取付手段は、
前記基板カバーに設けられる取付部と、
前記保持部材における前記遊技機本体の背板との対向面に設けられ、前記取付部が取り付けられる被取付部と、
を含み、
前記保持部材は、前記背板に対して前記対向面を近接させた状態で前記遊技機本体に設置される
ことを特徴とする遊技機。
【手続補正２】
【補正対象書類名】明細書
【補正対象項目名】０００８
【補正方法】変更
【補正の内容】
【０００８】
前記課題を解決するために、本発明の請求項１に記載の遊技機は、
周面に各々が識別可能な複数種類の識別情報が表示されたリールと、前記リールを回転駆動するリールモータと、前記リール及び前記リールモータを保持する保持部材と、からなるリールユニットを備える遊技機であって、
前記リールモータに接続されたモータ側コネクタが接続される基板側コネクタが一面に設けられた基板と、
前記基板の前記一面を被覆するとともに前記基板側コネクタに対応する位置に該基板側コネクタを臨ませるコネクタ孔が形成された被覆部を有する基板カバーと、
前記一面を前記被覆部に対向させるとともに前記コネクタ孔に前記基板側コネクタを臨ませた状態で前記基板と前記基板カバーとを一体的に組み付けてなる基板ユニットを、前記基板における前記一面の反対面を前記保持部材の上方面に対向させた状態で前記保持部材の上方面に取り付ける基板ユニット取付手段と、
を備え、
前記遊技機は、
前面が開口する箱状に形成され、前記リールユニットが設置される遊技機本体と、
前記遊技機本体の前面開口を開閉可能に設けられた前面扉と、
から構成され、
前記基板ユニット取付手段は、
前記基板カバーに設けられる取付部と、
前記保持部材における前記遊技機本体の背板との対向面に設けられ、前記取付部が取り付けられる被取付部と、
を含み、
前記保持部材は、前記背板に対して前記対向面を近接させた状態で前記遊技機本体に設置される
ことを特徴としている。
また、本発明の手段１の遊技機は、
周面に各々が識別可能な複数種類の識別情報（図柄）が表示されたリール（２Ｌ，２Ｃ，２Ｒ）と、前記リールを回転駆動するリールモータ（３２Ｌ，３２Ｃ，３２Ｒ）と、前記リール及び前記リールモータを保持する保持部材（リールボックス３５１）と、からなるリールユニット（２）を備える遊技機（スロットマシン１）であって、
前記リールモータに接続されたモータ側コネクタが接続される基板側コネクタ（４３２ａ）が一面（上面４３０ａ）に設けられた基板（リール中継基板４３０）と、
前記基板の前記一面を被覆するとともに前記基板側コネクタに対応する位置に該基板側コネクタを臨ませるコネクタ孔（コネクタ用孔４６８ａ）が形成された被覆部（上壁４４１ａ）を有する基板カバー（４４１）と、
前記一面を前記被覆部に対向させるとともに前記コネクタ孔に前記基板側コネクタを臨ませた状態で前記基板と前記基板カバーとを一体的に組み付けてなる基板ユニット（リール中継基板ケース３７０）を形成する基板ユニット形成手段（取付片４６０ａ，４６０ｂの係止孔４６１、凹部４５０ａ，４５０ｂの係止爪４５１）と、
前記基板ユニット形成手段により形成された前記基板ユニットの前記基板における前記一面の反対面（下面４３０ｂ）を前記保持部材の上方面（３５１ａ）に対向させた状態で、該基板ユニットを前記保持部材の上方面に取り付ける基板ユニット取付手段（係止片４６６ａ，４６６ｂと係止穴３５５ａ，３５５ｂ、後取付片４６７ａ，４６７ｂの取付穴４６７ｃ、ネジ４６７ｄ、ネジ穴３６３ｃ，３６３ｃ）と、
を備え、
前記遊技機（スロットマシン１）は、
前面が開口する箱状に形成され、前記リールユニット（２）が設置される遊技機本体（筐体１ａ）と、
前記遊技機本体の前面開口を開閉可能に設けられた前面扉（１ｂ）と、
から構成され、
前記基板ユニット取付手段（係止片４６６ａ，４６６ｂと係止穴３５５ａ，３５５ｂ、後取付片４６７ａ，４６７ｂの取付穴４６７ｃ、ネジ４６７ｄ、ネジ穴３６３ｃ，３６３ｃ）は、
前記基板カバーに設けられる取付部（係止片４６６ａ，４６６ｂ、後取付片４６７ａ，４６７ｂの取付穴４６７ｃ）と、
前記保持部材（リールボックス３５１）における前記遊技機本体の背板（１ｇ）との対向面（背面３５１ｂ）に設けられ、前記取付部が取り付けられる被取付部（取付凹部３６３ａ，３６３ｂ）と、
を含み、
前記保持部材は、前記背板に対して前記対向面を近接させた状態で前記遊技機本体に設置される（図１６参照）
ことを特徴としている。
この特徴によれば、基板と基板カバーとを一体的に組み付けてなる基板ユニットを形成する基板ユニット形成手段と、基板ユニットを保持部材の上方面に取り付ける基板ユニット取付手段と、が設けられていることで、例えば基板の検査等を行うために基板を保持部材から取り外したり、検査後に取り付けたりする場合、基板カバーを保持部材に対して着脱することにより該基板カバーに一体化された基板を着脱できるため、作業性が向上するばかりか、取り外した基板の一面が基板カバーにより保護されていることで基板側コネクタや配線等が露呈して損傷することを防止できる。また、基板を保持部材を介さずに基板カバーに直接組み付けて一体化できるので、コネクタ孔に対するコネクタの位置決めを正確に行うことができる。また、遊技機本体に設置されたリールユニットの前面側から取付部にアクセスしにくくなるとともに、取付部を被取付部から取り外す際に背板が邪魔になって取り外しが困難になるため、基板に対する不正行為を抑制することができる。
【手続補正３】
【補正対象書類名】明細書
【補正対象項目名】０００９
【補正方法】変更
【補正の内容】
【０００９】
本発明の手段２の遊技機は、手段１に記載の遊技機であって、
前記基板（リール中継基板４３０）を配置する配置部（基板ベース４４０の上面開口）と、該配置部に配置した前記基板の前記反対面（下面４３０ｂ）を被覆する反対面被覆部（底壁４４０ａ、側壁４４０ｂ，４４０ｃ、前後壁４４０ｄ，４４０ｅ）と、を有する基板ベース（４４０）を備え、
前記基板ユニット形成手段（取付片４６０ａ，４６０ｂの係止孔４６１、凹部４５０ａ，４５０ｂの係止爪４５１）は、前記基板ベースに設けられたベース取付部（凹部４５０ａ，４５０ｂの係止爪４５１）と、前記基板カバーに設けられ、前記ベース取付部が取り付けられるベース被取付部（取付片４６０ａ，４６０ｂの係止孔４６１）と、を含む
ことを特徴としている。
この特徴によれば、基板を基板ベースを介して基板カバーに取り付けることができるため、基板に取付部等を加工しないで済むとともに、基板の両面が被覆された状態で保持部材に取り付けできるため、基板に対する不正行為や基板の損傷をより効果的に防止できる。
【手続補正４】
【補正対象書類名】明細書
【補正対象項目名】００１０
【補正方法】変更
【補正の内容】
【００１０】
本発明の手段３の遊技機は、手段１または２に記載の遊技機であって、
前記遊技機（スロットマシン１）は、
前面が開口する箱状に形成される遊技機本体（筐体１ａ）と、
前記遊技機本体の前面開口を開閉可能に設けられた前面扉（１ｂ）と、
遊技に関連する演出に用いられる演出装置（シャッタ１１３ａ，１１３ｂ、役物１１４ａ，１１４ｂ及び液晶表示器５１等）を含む演出装置ユニット（７０）と、
前記前面扉に形成され、前記リールを前記前面扉の前面側から透視可能とする遊技用透視窓（透視窓３）と、
前記前面扉における前記遊技用透視窓の上方近傍位置に形成され、前記演出装置を前記前面扉の前面側から透視可能とする演出用透視窓（上部パネル１１２）と、
を備え、
前記把持部（把手部４７０）は、
前記被覆部（上壁４４１ａ）の前後方向の中央位置よりも前記遊技機本体の背板（１ｇ）側に突設され、
前記演出装置ユニットと前後方向に重畳するように該演出装置ユニットの背面側に配置される（図１６参照）
ことを特徴としている。
この特徴によれば、演出装置ユニットの前後幅寸法を極力長くすることができるので、演出装置の大型化を図ることができるばかりか、把持部の前方においてリールユニットに近接させて配置することにより演出用透視窓の上下幅寸法を極力大型化することができるため、遊技の興趣が向上する。
【手続補正５】
【補正対象書類名】明細書
【補正対象項目名】００１１
【補正方法】変更
【補正の内容】
【００１１】
本発明の手段４の遊技機は、手段１〜３のいずれかに記載の遊技機であって、
前記基板ユニット取付手段（係止片４６６ａ，４６６ｂと係止穴３５５ａ，３５５ｂ、後取付片４６７ａ，４６７ｂの取付穴４６７ｃ、ネジ４６７ｄ、ネジ穴３６３ｃ，３６３ｃ）は、
前記基板カバー（４４０）の前端部から前向きに延設され、前記保持部材（リールボックス３５１）に設けられた係止孔（係止穴３５５ａ，３５５ｂ）に挿通可能な係止片（係止片４６６ａ，４６６ｂ）と、
前記基板カバーの後端部から下向きに垂設され、前記保持部材に設けられた被取付部（取付凹部３６３ａ，３６３ｂ）に取り付けられる取付片（後取付片４６７ａ，４６７ｂ）と、
を含む
ことを特徴としている。
この特徴によれば、保持部材の上方面に対する基板カバーの取付上下位置が係止片により決定され、取付前後位置が取付片により決定されるため、保持部材に対する位置決めを簡単に行うことができる。